(57)【要約】【課題】  イメージサイズの大きい光学系ながら、小型化と高変倍比化を両立し、全ズーム範囲で高い光学性能を有するズームレンズ及びそれを有する撮像装置を得る。【解決手段】  物体側から順に、変倍時に固定で正の第１群、変倍時に移動する負の第２群、変倍時に移動する正の第３群、変倍時に移動する負の第４群、全体で正の後続群を有するズームレンズであり、フォーカシングに際して前記第４群が光軸方向に移動し、前記第４群の焦点距離、前記後続群の望遠端における合成焦点距離、広角端におけるレンズ全系の焦点距離、広角端から望遠端へのズーミングにおける前記第２群の移動量、広角端から望遠端へのズーミングにおける第３群の移動量、広角端における半画角、望遠端無限遠合焦状態において前記第４群が１（ｍｍ）像側へ移動した際に生じるピント位置の変化量が、所定の条件式を満足する構成とする。【選択図】  図１
2018180203.tif 000002
【特許請求の範囲】
【請求項１】
物体側から像側へ順に、変倍のためには移動せず正の屈折力を有する第１レンズ群、変倍に際して移動する負の屈折力を有する第２レンズ群、変倍に際して移動する正の屈折力を有する第３レンズ群、変倍に際して移動する負の屈折力を有する第４レンズ群、１つ以上のレンズ群から構成され全体で正の屈折力を有する後続レンズ群を有し、フォーカシングに際して前記第４レンズ群が光軸方向に移動し、前記第４レンズ群の焦点距離をｆ４、前記後続レンズ群の望遠端における合成焦点距離をｆＲ、広角端におけるレンズ全系の焦点距離をｆｗ、広角端から望遠端へのズーミングにおける前記第２レンズ群の移動量をＭ２、広角端から望遠端へのズーミングにおける第３レンズ群の移動量をＭ３、広角端における半画角をωｗ、望遠端無限遠合焦状態において前記第４レンズ群が１（ｍｍ）像側へ移動した際に生じるピント位置の変化量をｄｓｋｔ（ｍｍ）とするとき、
−０．６０＜ｆ４／ｆＲ＜−０．２０
−５．００＜Ｍ２／Ｍ３＜−１．５０
−０．４２＜ｄｓｋｔ／（ｆｗ×ｔａｎωｗ）＜−０．１５
なる条件式を満足することを特徴とするズームレンズ。但し、移動量の符号は広角端に比べて望遠端においてレンズ群が物体側に位置するときを負、像側に位置するときを正とする。
【請求項２】
前記第１レンズ群の焦点距離をｆ１、広角端における前記ズームレンズの焦点距離をｆｗとするとき、
３．５＜ｆ１／ｆｗ＜８．５
なる条件式を満足することを特徴とする請求項１に記載のズームレンズ。
【請求項３】
前記第１レンズ群の焦点距離をｆ１、前記第２レンズ群の焦点距離をｆ２とするとき、
−６．５＜ｆ１／ｆ２＜−４．０
なる条件式を満足することを特徴とする請求項１又は２に記載のズームレンズ。
【請求項４】
前記第１レンズ群の焦点距離をｆ１、前記第４レンズ群の焦点距離をｆ４とするとき、
−７．０＜ｆ１／ｆ４＜−２．０
なる条件式を満足することを特徴とする請求項１乃至３のいずれか１項に記載のズームレンズ。
【請求項５】
前記第２レンズ群と前記第３レンズ群の間に開口絞りを有することを特徴とする請求項１乃至４のいずれか１項に記載のズームレンズ。
【請求項６】
前記第１レンズ群は、少なくとも３枚のレンズを有することを特徴とする請求項１乃至５のいずれか１項に記載のズームレンズ。
【請求項７】
前記第１レンズ群の中の最も像側に配置される正レンズＧ１ｐｒの材料の屈折率をＮｄ１ｐｒ、前記第１レンズ群の中の前記正レンズＧ１ｐｒ以外の正レンズの材料の屈折率の平均をＮｄ１ｐｆとするとき、
０．９９＜Ｎｄ１ｐｒ／Ｎｄ１ｐｆ＜１．４０
なる条件式を満足することを特徴とする請求項１乃至６のいずれか１項に記載のズームレンズ。
【請求項８】
前記開口絞りは変倍のためには光軸方向に移動しないことを特徴とする請求項５に記載のズームレンズ。
【請求項９】
広角端における前記ズームレンズの焦点距離をｆｗ、広角端における半画角をωｗとするとき、
１４．０＜ｆｗ×ｔａｎωｗ
なる条件式を満足することを特徴とする請求項１乃至８のいずれか１項に記載のズームレンズ。
【請求項１０】
請求項１乃至９のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズ及びそれを有する撮像装置に関し、例えばデジタルスチルカメラ、ビデオカメラ、監視カメラ、放送用カメラ等の撮像装置に用いる撮像光学系として好適なものである。
【背景技術】
【０００２】
近年、固体撮像素子を用いたデジタルスチルカメラ、ビデオカメラ等の装置全体の小型化が進んできた。そしてそれに用いる撮像光学系として明るくかつ高ズーム比で、しかも全ズーム範囲にわたり高い光学性能を有したズームレンズであること等が要求されている。一方で、高画質で被写界深度の浅い画を得るために固体撮像素子の大型化も望まれており、ズームレンズはより一層の小型化が求められている。
【０００３】
従来から、物体側より像側へ順に、正、負、正、負、正の屈折力の第１レンズ群乃至第５レンズ群よりなる５群ズームレンズが知られている。
【０００４】
例えば、特許文献１では物体側より順に正、負、正、負、正の屈折力を有するレンズ群を配し、ズーミングに際して第２レンズ群、第３レンズ群、第５レンズ群が移動するレンズが開示されている。特許文献２では物体側より順に正、負、正、負、正の屈折力を有するレンズ群を配し、ズーミングに際して第２レンズ群、第３レンズ群、第４レンズ群が移動する構成が開示されている。
【先行技術文献】
【特許文献】
【０００５】
【特許文献１】特開２０１３−０１５７４３号公報
【特許文献２】特開２０１６−１０２８８７号公報
【発明の概要】
【発明が解決しようとする課題】
【０００６】
前述したような、固体撮像素子の大型化に対応する場合、レンズのイメージサイズを大きくするために、レンズ自体の大きさも大きくなるため、小型化が課題となる。また、イメージサイズが大きいレンズでは、同じ画角でも焦点距離も長くなるため、焦点距離の二乗倍に比例して大きくなるフォーカシング時のフォーカスレンズ群の繰り出し量が大きくなり、小型化が困難となる。
【０００７】
５群ズームレンズにおいて、全系の小型化と、高ズーム比化を達成しながら、全ズーム範囲にわたり高い光学性能を得るには、各レンズ群の屈折力配置や、各レンズ群のズーミングに伴う移動条件等を適切に設定することが重要となる。例えば、フォーカスレンズ群の繰り出し量を小さくするためには、フォーカスレンズ群と、それよりも像側に配置されるレンズ群の焦点距離の関係を適切に設定することが重要となる。また、小型化を達成しながら高変倍比化を達成するためには、ズーミングの際の第２レンズ群と第３レンズ群の移動量の関係を適切に設定することが重要になってくる。これらの要素を適切に設定しないと、全系の小型化と、高変倍比化を達成しながら、全ズーム範囲で高い光学性能を得るのが大変困難になってくる。
【０００８】
特許文献１に記載のズームレンズでは、第５レンズ群をフォーカスレンズ群としているため、フォーカスレンズ群の繰り出し量を小さくすることが困難な構成である。特許文献２に記載のズームレンズでは、第４レンズ群をフォーカスレンズ群としているが、第４レンズ群と第５レンズ群の屈折力の比がフォーカスレンズ群の繰り出し量を小さくするような関係でない。
【０００９】
本発明は、イメージサイズの大きい光学系ながら、小型化と高変倍比化を両立し、全ズーム範囲で高い光学性能を有するズームレンズ及びそれを有する撮像装置を提供することを目的としている。
【課題を解決するための手段】
【００１０】
上記目的を達成するために、本発明のズームレンズは、物体側から像側へ順に、変倍のためには移動せず正の屈折力を有する第１レンズ群、変倍に際して移動する負の屈折力を有する第２レンズ群、変倍に際して移動する正の屈折力を有する第３レンズ群、変倍に際して移動する負の屈折力を有する第４レンズ群、１つ以上のレンズ群から構成され全体で正の屈折力を有する後続レンズ群を有し、フォーカシングに際して前記第４レンズ群が光軸方向に移動し、前記第４レンズ群の焦点距離をｆ４、前記後続レンズ群の望遠端における合成焦点距離をｆＲ、広角端におけるレンズ全系の焦点距離をｆｗ、広角端から望遠端へのズーミングにおける前記第２レンズ群の移動量をＭ２、広角端から望遠端へのズーミングにおける第３レンズ群の移動量をＭ３、広角端における半画角をωｗ、望遠端無限遠合焦状態において前記第４レンズ群が１（ｍｍ）像側へ移動した際に生じるピント位置の変化量をｄｓｋｔ（ｍｍ）とするとき、
−０．６０＜ｆ４／ｆＲ＜−０．２０
−５．００＜Ｍ２／Ｍ３＜−１．５０
−０．４２＜ｄｓｋｔ／（ｆｗ×ｔａｎωｗ）＜−０．１５
なる条件式を満足することを特徴とする。但し、移動量の符号は広角端に比べて望遠端においてレンズ群が物体側に位置するときを負、像側に位置するときを正とする。
【発明の効果】
【００１１】
本発明によれば、イメージサイズの大きい光学系ながら、小型化と高変倍比化を両立し、全ズーム範囲で高い光学性能を有するズームレンズ及びそれを有する撮像装置を提供することができる。
【図面の簡単な説明】
【００１２】
【図１】数値実施例１の広角端において無限遠合焦時のレンズ断面図
【図２】数値実施例１の広角端（ａ）、望遠端（ｂ）で無限遠合焦時の収差図
【図３】数値実施例２の広角端において無限遠合焦時のレンズ断面図
【図４】数値実施例２の広角端（ａ）、望遠端（ｂ）で無限遠合焦時の収差図
【図５】数値実施例３の広角端において無限遠合焦時のレンズ断面図
【図６】数値実施例３の広角端（ａ）、望遠端（ｂ）で無限遠合焦時の収差図
【図７】数値実施例４の広角端において無限遠合焦時のレンズ断面図
【図８】数値実施例４の広角端（ａ）、望遠端（ｂ）で無限遠合焦時の収差図
【図９】数値実施例５の広角端において無限遠合焦時のレンズ断面図
【図１０】数値実施例５の広角端（ａ）、望遠端（ｂ）で無限遠合焦時の収差図
【図１１】本発明のズームレンズを搭載するビデオカメラ（撮像装置）の要部概略図
【図１２】ピント位置の変化を説明するための模式図
【発明を実施するための形態】
【００１３】
以下に、本発明の実施の形態を添付の図面に基づいて詳細に説明する。本発明のズームレンズは、物体側より像側へ順に正の屈折力の第１レンズ群、負の屈折力の第２レンズ群、正の屈折力の第３レンズ群、負の屈折力の第４レンズ群、後続レンズ群より構成されている。そしてズーミングに際して、少なくとも第２レンズ群、第３レンズ群、第４レンズ群が移動する。
【００１４】
図１は本発明の実施例１としての数値実施例１の広角端で無限遠物体合焦時におけるレンズ断面図である。図２（ａ）、（ｂ）は、数値実施例１の広角端と望遠端における無限遠物体合焦時における縦収差図である。
【００１５】
各実施例のズームレンズは撮像装置に用いられる撮影光学系であり、レンズ断面図において、左方が被写体側（物体側）で、右方が像側である。レンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は後続レンズ群ＬＲに相当する第５レンズ群である。ＳＰは開口絞りであり、第２レンズ群Ｌ２と第３レンズ群Ｌ３の間に位置している。各実施例のズームレンズは、ズーミングに際して開口絞りＳＰを不動としているが、適切な範囲で可動としても良い。これによればさらなる全系の小型化が容易になる。各実施例では開口絞りＳＰをズーミングに際して不動とし、撮像装置を簡素化している。Ｐは光学フィルタ、フェースプレート等に相当する光学ブロックである。Ｉは像面であり、デジタルスチルカメラやビデオカメラの撮影光学系として使用する際にはＣＣＤセンサやＣＭＯＳセンサ等の固体撮像素子の撮像面が、銀塩フィルム用カメラのときはフィルム面に相当する。収差図のうち、球面収差においてｄはｄ線、ｇはｇ線である。非点収差図においてΔＭ、ΔＳは各々メリジオナル像面、サジタル像面である。倍率色収差はｇ線によって表している。また、ＦｎｏはＦナンバーである。ωは半画角（度）である。尚、以下の各実施例において広角端と望遠端は変倍レンズ群が機構上光軸方向において移動可能な範囲の両端に位置したときのズーム位置をいう。各実施例では、広角端から望遠端へのズーミングに際して、第２レンズ群Ｌ２が像側に移動する。また第３レンズ群Ｌ３は広角端に比べて望遠端において物体側に位置するようにして変倍を行う。また、第４レンズ群Ｌ４を非線形に光軸上を移動し、像面変動を補正している。また、各実施例では、第４レンズ群Ｌ４を光軸上移動させてフォーカシング（フォーカス）を行うリヤーフォーカス式を採用している。また、各実施例では望遠端において無限遠から近距離へフォーカスを行う場合には、第４レンズ群Ｂ４を像側に繰り出すことで行っている。尚、各実施例においては撮影時に、第３レンズ群Ｌ３の全体または一部を光軸に対して垂直方向の成分を持つ方向に移動させる事によってズームレンズが振動したときに生ずる撮影画像のブレを補正するようにしても良い。即ち像ぶれ補正を行っても良い。
【００１６】
各実施例のズームレンズは、物体側から順に、変倍時に固定で正の屈折力を有する第１レンズ群、変倍時に移動する負の屈折力を有する第２レンズ群、変倍時に移動する正の屈折力を有する第３レンズ群、変倍時に移動する負の屈折力を有する第４レンズ群、全体で正の屈折力を有する後続レンズ群を有する。フォーカシングに際して前記第４レンズ群が光軸方向に移動し、前記第４レンズ群の焦点距離をｆ４、前記後続レンズ群の望遠端における合成焦点距離をｆＲ、広角端におけるレンズ全系の焦点距離をｆｗ、広角端から望遠端へのズーミングにおける前記第２レンズ群の移動量をＭ２、広角端から望遠端へのズーミングにおける第３レンズ群の移動量をＭ３、広角端における半画角をωｗ、望遠端無限遠合焦状態において前記第４レンズ群が１（ｍｍ）像側へ移動した際に生じるピント位置の変化量をｄｓｋｔ（ｍｍ）とするとき、下記の条件式を満足している。
【００１７】
−０．６０＜ｆ４／ｆＲ＜−０．２０  ・・・（１）
−５．００＜Ｍ２／Ｍ３＜−１．５０  ・・・（２）
−０．４２＜ｄｓｋｔ／（ｆｗ×ｔａｎωｗ）＜−０．１５  ・・・（３）
ここで、ズーミングに際して移動するレンズ群の移動量の符号は広角端に比べて望遠端においてレンズ群が物体側に位置するときを負、像側に位置するときを正とする。尚、位置の差M２、M３は単調に移動するときは移動量に相当する。往復移動するときは、往復距離は含まず広角端における位置と望遠端における光軸方向の位置の差である。
【００１８】
図１２は、前述したピント位置の変化を説明する図である。図のように、撮像面に結像位置が合った状態を基準として、フォーカスレンズ群である第４レンズ群が光軸方向に１（ｍｍ）像側へ移動したときに、入射光の結像位置はｄｓｋｔ（ｍｍ）だけ動く。この現象をピント位置の変化とし、その変化量をピント位置の変化量とする。
【００１９】
本発明のズームレンズは前述の如く構成して全系が小型で高ズーム比化を確保するのに適した構成としている。第１レンズ群Ｌ１は偏芯すると望遠端において像面湾曲が回転対称でなくなり、例えば画面の左右で合焦する被写体距離が異なってしまい好ましくない。そのため、第１レンズ群Ｌ１はズーミングに際して不動としている。第２レンズ群Ｌ２及び第３レンズ群Ｌ３を移動させる事で変倍を行なっている。第３レンズ群Ｌ３を移動させて中間のズーム位置において入射瞳位置を短くして前玉有効径の小型化も図っている。第４レンズ群Ｌ４は変倍に伴う像面変動を補正するために移動させている。
そして前述の条件式（１）〜（３）を満足している。
【００２０】
次に条件式（１）〜（３）の技術的意味について説明する。
条件式（１）は、第４レンズ群の焦点距離ｆ４と、第４レンズ群よりも像側に配置される後続レンズ群の望遠端における合成焦点距離ｆＲの比を規定している。条件式（１）の上限を超えると、第４レンズ群の屈折力が強くなり過ぎ、フォーカシング時の球面収差や像面湾曲の変動が大きくなるため、良好な光学性能を得ることが困難となる。逆に条件式（１）の下限を下回ると、第４レンズ群の屈折力が弱くなり、フォーカシングのための移動量が大きくなるため、全長が長くなり易く、小型化が困難となる。
【００２１】
条件式（２）は、広角端から望遠端へのズーミングにおける第２レンズ群の移動量Ｍ２と、広角端から望遠端へのズーミングにおける第３レンズ群の移動量Ｍ３の関係を規定している。条件式（２）の上限を超えると、主変倍群である第２レンズ群以外でズーム比を稼ぐ必要があるため、第２レンズ群以外のズーミングにおける移動量が増大するため、レンズ全長が長くなり易く、小型化が困難となる。逆に条件式（２）の下限を下回ると、第２レンズ群の移動量が大きくなり、第１レンズ群から開口絞りまでの距離が長くなり、第１レンズ群が大型化するため、小型化が困難となる。
【００２２】
条件式（３）は、望遠端無限遠合焦状態において前記第４レンズ群が１（ｍｍ）像側へ移動した際に生じるピント位置の変化量ｄｓｋｔ（ｍｍ）と、広角端における半画角の正接と広角端における焦点距離の積ｆｗ×ｔａｎωとの比を規定している。ｆｗ×ｔａｎωは、レンズ全系の最大像高であり、イメージサイズの半分である。ここで、フォーカシングのフォーカスレンズ群の移動量は、焦点距離の二乗に比例して大きくなる。同じ画角でも、イメージサイズの大きいレンズでは、イメージサイズ比分だけ焦点距離は長くなる。そのため、大判センサに対応するレンズでは、フォーカスレンズ群の位置が変化する際に生じるピント変化も適切な大きさに設定しなければ、フォーカシング時のフォーカスレンズ群の移動量が大きくなり、レンズ全長が長くなってしまう。本発明では、イメージサイズが大きいレンズでもフォーカシング時のフォーカスレンズ群の移動量を抑えることができるように、フォーカスレンズ群の位置が変化する際に生じるピント変化量を適切な範囲に規定している。上限式（３）の上限を超えると、フォーカシングのための第４レンズ群の移動量が大きくなり、小型化が困難となる。逆に条件式（３）の下限を下回ると、フォーカシング時の第４レンズ群の移動量は小さくできるが、第４レンズ群が微小に動いた際のピントの変化量が大きくなり過ぎるため、フォーカス時の駆動制御が困難となる。
【００２３】
更に好ましくは、条件式（１）〜条件式（３）は次の如く設定するのが良い。
−０．５８＜ｆ４／ｆＲ＜−０．２５  ・・・（１ａ）
−４．５０＜Ｍ２／Ｍ３＜−１．８０  ・・・（２ａ）
−０．４０＜ｄｓｋｔ／（ｆｗ×ｔａｎωｗ）＜−０．１７  ・・・（３ａ）
【００２４】
更なる本発明のズームレンズの態様として、以下の条件式を満足するのが望ましい。
３．５＜ｆ１／ｆｗ＜８．５  ・・・（４）
条件式（４）は第１レンズ群の焦点距離と広角端における全系の焦点距離の比を規定している。条件式（４）の上限を超えると、第１レンズ群の屈折力が弱くなるため、所定のズーム比を得るために必要な第２レンズ群の移動量が増大するため、全長や第１レンズ群の小型化が困難となる。逆に条件式（４）の下限を下回ると、小型化には有利な構成となるが、望遠側のズームポジションにおける球面収差や、コマ収差を良好に補正することが困難となる。
【００２５】
更に好ましくは、条件式（４）は次の如く設定するのが良い。
３．７＜ｆ１／ｆｗ＜８．２  ・・・（４ａ）
【００２６】
更なる本発明のズームレンズの態様として、以下の条件式を満足するのが望ましい。
−６．５＜ｆ１／ｆ２＜−４．０  ・・・（５）
但し、広角端における前記第２レンズ群の焦点距離をｆ２とする。
条件式（５）は、第１レンズ群の焦点距離と広角端における第２レンズ群の焦点距離の比を規定している。条件式（５）の上限を超えると、望遠側のズームポジションにおいて、球面収差やコマ収差の補正が困難となる。逆に条件式（５）の下限を下回ると、広角側のズームポジションにおいて、非点収差の補正が困難となる。
【００２７】
更に好ましくは、条件式（５）は次の如く設定するのが良い。
−６．３＜ｆ１／ｆ２＜−４．２  ・・・（５ａ）
【００２８】
更なる本発明のズームレンズの態様として、以下の条件式を満足するのが望ましい。
−７．０＜ｆ１／ｆ４＜−２．０  ・・・（６）
条件式（６）は、第１レンズ群の焦点距離と第４レンズ群の焦点距離の比を規定している。条件式（６）の上限を超えると、第１レンズ群の屈折力が強くなり過ぎるため、望遠側のズームポジションにおいて、球面収差やコマ収差の補正が困難となる。逆に条件式（６）の下限を下回ると、第４レンズ群の屈折力が強くなり過ぎるため、フォーカシング時の球面収差や像面湾曲の変動が大きくなるため、良好な光学性能を得ることが困難となる。
【００２９】
更に好ましくは、条件式（６）は次の如く設定するのが良い。
−６．８＜ｆ１／ｆ４＜−２．３  ・・・（６ａ）
【００３０】
更なる本発明のズームレンズの態様として、第２レンズ群と第３レンズ群の間に開口絞りが配置されることが好ましい。ズーミングで移動する第２レンズ群と第３レンズ群の間に配置し、それぞれの移動量を適切に割り振ることで、第１レンズ群から開口絞りまでの距離を制御し、第１レンズ群の有効径を小さくすることが容易にできる。
【００３１】
更なる本発明のズームレンズの態様として、第１レンズ群は、３枚以上の構成としている。第１レンズ群の有効径を下げるためには、第１レンズ群を構成する正レンズの中の最も像側のレンズの正レンズの材料の屈折率を高くすることが有効である。しかしながら屈折率が高い硝材は、アッベ数も大きくなる傾向にあるため、屈折率の高い材料を正レンズに用いる場合、特に望遠端の軸上色収差の補正が困難となる。そこで、正レンズを追加し、材料に分散が小さい材料を使うことで、望遠端の軸上色収差の補正を良好に行いながら、第１レンズ群の有効径を下げることができる。加えて、第１レンズ群を構成するレンズの各面の曲率を緩くする効果も得られるため、望遠側のズームポジションでコマ収差や球面収差を良好に補正することが可能となる。
【００３２】
更なる本発明のズームレンズの態様として、以下の条件式を満足するのが望ましい。
０．９９＜Ｎｄ１ｐｒ／Ｎｄ１ｐｆ＜１．４０  ・・・（７）
条件式（７）は、第１レンズ群を構成する正レンズの中の最も像側に配置される正レンズＧ１ｐｒの材料の屈折率Ｎｄ１ｐｒと、前記第１レンズ群を構成する正レンズの中の最も像側に配置される正レンズＧ１ｐｒ以外の正レンズの材料の屈折率の平均値Ｎｄ１ｐｆの関係を規定している。
【００３３】
第１レンズ群において、レンズ内を通る光線と光軸の成す角は、最も像側の正レンズＧ１ｐｒ内で最大となる。そのため、第１レンズ群内で最も像側の正レンズＧ１ｐｒを薄くすると物体側のレンズ面と像側のレンズ面の光線有効径差が小さくなり前玉有効径の小型化が容易になる。但し、第１レンズ群内で最も像側の正レンズＧ１ｐｒの屈折力を弱くしてしまうと、より物体側まで光軸に対して急な角度で光線が通過する様になってしまい、前玉有効径が大きくなってしまう。従って、第１レンズ群内で最も像側の正レンズＧ１ｐｒの材料の屈折率を高くする事でレンズ面の曲率半径を大きくし、屈折力を一定の位置に維持したままレンズを薄くする事が、前玉有効径の小型化には有効である。
【００３４】
条件式（７）の上限を超えると、第１レンズ群を構成するレンズの有効径を小さくし易く、小型化に有利な構成となるが、ペッツバール和が増大し像面湾曲の補正が困難となる。逆に条件式（７）の下限を超えると、第１レンズ群の物体側に配置されるレンズの有効径を小さくすることが難しく、小型化が困難となる。
【００３５】
更に好ましくは、条件式（７）は次の如く設定するのが良い。
０．９９＜Ｎｄ１ｐｒ／Ｎｄ１ｐｆ＜１．３５  ・・・（７ａ）
【００３６】
更なる本発明のズームレンズの態様として、開口絞りは、ズーミングに際して光軸方向に移動しないことが好ましい。開口絞りがズームで移動する場合、開口径を制御する機構と一緒に移動させる必要があるため、駆動機構が複雑化し、それに伴う駆動のための消費電力増大が避けられない。
【００３７】
更なる本発明のズームレンズの態様として、以下の条件式を満足するのが望ましい。
１４．０＜ｆｗ×ｔａｎωｗ  ・・・（８）
条件式（８）は、広角端における半画角の正接と広角端における焦点距離の積ｆｗ×ｔａｎωとの比を規定している。ｆｗ×ｔａｎωは、レンズ全系の最大像高であり、イメージサイズの半分である。条件式（８）を満足することで、固体撮像素子の大型化に対応するイメージサイズの大きいレンズが得られる。
【００３８】
更に好ましくは、条件式（８）は次の如く設定するのが良い。
１６．０＜ｆｗ×ｔａｎωｗ＜２４．０  ・・・（８ａ）
【００３９】
以下に本発明のズームレンズの具体的な構成について、実施例１〜５に対応する数値実施例１〜５のレンズ構成の特徴により説明する。
【実施例１】
【００４０】
本実施例における第１レンズ群Ｌ１について説明する。第１レンズ群Ｌ１は第１面から第７面に対応する。第１レンズ群Ｌ１は、物体側に凸面のメニスカス凹レンズと両凸レンズの接合レンズ、物体側に凸面のメニスカス凸レンズ、物体側に凸面のメニスカス凸レンズで構成される。第２レンズ群Ｌ２は、第８面から第１５面に対応し、物体側に凸面のメニスカス凹レンズ、両凹レンズ、両凸レンズ、像側に凸面のメニスカス凹レンズで構成される。また、第９面は非球面形状で、主に変倍に伴う像面湾曲、周辺像高におけるコマ収差の変動を補正している。第３レンズ群Ｌ３は、第１７面から第２４面に対応し、物体側に凸面のメニスカス凸レンズ、物体側に凸面のメニスカス凹レンズと凸レンズの接合レンズ、両凸レンズと両凹レンズの接合レンズで構成される。また、第１８面は非球面形状で、主に変倍に伴う球面収差の変動を補正している。第４レンズ群Ｌ４は、第２５面から第２７面に対応し、像側が凸面のメニスカス凸レンズと両凹の接合レンズで構成される。また、第４レンズ群Ｌ４は、無限遠側から至近側への合焦時に像側へ移動する合焦群である。後続レンズ群ＬＲである第５レンズ群は、第２８面から第３２面に対応し、両凸レンズと像側が凸面のメニスカス凹レンズの接合レンズと両凸レンズで構成される。
【００４１】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）の屈折率、アッベ数を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０−Ｚ」を意味する。半画角は光線追跡で求めた値である。
【数１】
2018180203.tif 000003
【００４２】
本実施例の各条件式対応値を表１に示す。本実施例は（１）〜（８）式を満足しており、イメージサイズの大きい光学系ながら、小型化と高変倍比化を両立し、全ズーム範囲で高い光学性能を有するズームレンズを達成している。本発明のズームレンズは、（１）〜（３）式を満足することは必須であるが、（４）〜（８）式については満足していなくても構わない。但し、（４）〜（８）式について少なくとも１つでも満足していれば更に良い効果を奏することができる。これは他の実施例についても同様である。
【００４３】
図１１は各実施例のズームレンズを撮影光学系として用いた撮像装置（テレビカメラシステム）の概略図である。図１１において１０１は実施例１〜５のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、後続レンズ群Ｒを有している。変倍部ＬＺには合焦用レンズ群が含まれている。変倍部ＬＺは変倍のために光軸上を移動する第２レンズ群及び第３レンズ群と、変倍に伴う像面変動を補正するために光軸上を移動する第４レンズ群が含まれている。第４レンズ群は、無限遠側から至近側への合焦時に像側へ移動する合焦群を兼ねる。ＳＰは開口絞りである。１１５は第１レンズ群Ｆ、変倍部ＬＺを光軸方向に駆動するヘリコイドやカム等の駆動機構である。１１７〜１１８は駆動機構１１５及び開口絞りＳＰを電動駆動するモータ（駆動手段）である。１２０〜１２１は、変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。尚、電子撮像素子を用いる場合、電子的に収差補正をすることで出力画像を更に高画質化することができる。また、１１１、１２２はカメラ１２４及びズームレンズ１０１の各種の駆動を制御するＣＰＵである。
【００４４】
このように、本発明のズームレンズをデジタルビデオカメラやテレビカメラやシネマ用カメラに適用することにより、高い光学性能を有する撮像装置を実現している。
【実施例２】
【００４５】
図３は本発明の実施例２（数値実施例２）であるズームレンズにおいて、広角端で無限遠に合焦しているときのレンズ断面図である。図４において、（ａ）は広角端、（ｂ）は望遠端の縦収差図を示している。いずれの収差図も、無限遠に合焦しているときの縦収差図である。図３において、物体側から順に、正の屈折力の第１レンズ群 Ｌ１を有している。更に、広角端から望遠端への変倍に際して、像側へ移動する変倍用の負の屈折力の第２レンズ群Ｌ２を有している。更に、広角端から望遠端への変倍に際して、光軸上を非直線的に移動する変倍用の正の屈折力の第３レンズ群Ｌ３を有している。更に、第２レンズ群と第３レンズ群の移動に連動して光軸上を非直線的に移動し、変倍に伴う像面変動を補正する負の第４レンズ群Ｌ４を有している。更に第４レンズ群は無限遠側から至近側への合焦時に像側へ移動する。更に、変倍のためには移動しない結像作用をする正の屈折力の後続レンズ群ＬＲである第５レンズ群Ｌ５を有している。ＳＰは開口絞り、Ｉは像面である。
【００４６】
次に、本実施例における第１レンズ群Ｌ１について説明する。第１レンズ群Ｌ１は第１面から第７面に対応する。第１レンズ群Ｌ１は、物体側に凸面のメニスカス凹レンズと物体側に凸面のメニスカス凸レンズの接合レンズ、物体側に凸面のメニスカス凸レンズ、物体側に凸面のメニスカス凸レンズで構成される。第２レンズ群Ｌ２は、第８面から第１５面に対応し、物体側に凸面のメニスカス凹レンズ、両凹レンズ、両凸レンズ、像側に凸面のメニスカス凹レンズで構成される。また、第９面は非球面形状で、主に変倍に伴う像面湾曲、周辺像高におけるコマ収差の変動を補正している。第３レンズ群Ｌ３は、第１７面から第２４面に対応し、物体側に凸面のメニスカス凸レンズ、物体側に凸面のメニスカス凹レンズと両凸レンズの接合レンズ、両凸レンズと像側に凸面のメニスカス凹レンズの接合レンズで構成される。また、第１７面、第１８面は非球面形状で、主に変倍に伴う球面収差の変動を補正している。第４レンズ群Ｌ４は、第２５面から第２７面に対応し、像側が凸面のメニスカス凸レンズと両凹の接合レンズで構成される。また、第４レンズ群Ｌ４は、無限遠側から至近側への合焦時に像側へ移動する合焦群である。後続レンズ群ＬＲである第５レンズ群は、第２８面から第３２面に対応し、像側に凸面のメニスカス凸レンズと像側が凸面のメニスカス凹レンズの接合レンズと両凸レンズで構成される。
【００４７】
本実施例の各条件式対応値を表１に示す。本実施例は（１）〜（８）式を満足しており、イメージサイズの大きい光学系ながら、小型化と高変倍比化を両立し、全ズーム範囲で高い光学性能を有するズームレンズを達成している。
【実施例３】
【００４８】
図５は本発明の実施例３（数値実施例３）であるズームレンズにおいて、広角端で無限遠に合焦しているときのレンズ断面図である。図６において、（ａ）は広角端、（ｂ）は望遠端の縦収差図を示している。いずれの収差図も、無限遠に合焦しているときの縦収差図である。図５において、物体側から順に、正の屈折力の第１レンズ群 Ｌ１を有している。更に、広角端から望遠端への変倍に際して、像側へ移動する変倍用の負の屈折力の第２レンズ群Ｌ２を有している。更に、広角端から望遠端への変倍に際して、光軸上を非直線的に移動する変倍用の正の屈折力の第３レンズ群Ｌ３を有している。更に、第２レンズ群と第３レンズ群の移動に連動して光軸上を非直線的に移動し、変倍に伴う像面変動を補正する負の第４レンズ群Ｌ４を有している。更に第４レンズ群は無限遠側から至近側への合焦時に像側へ移動する。更に、変倍のためには移動しない結像作用をする正の屈折力の後続レンズ群ＬＲである第５レンズ群Ｌ５を有している。ＳＰは開口絞り、Ｉは像面である。
【００４９】
次に、本実施例における第１レンズ群Ｌ１について説明する。第１レンズ群Ｌ１は第１面から第７面に対応する。第１レンズ群Ｌ１は、物体側に凸面のメニスカス凹レンズと両凸レンズの接合レンズ、物体側に凸面のメニスカス凸レンズ、物体側に凸面のメニスカス凸レンズで構成される。第２レンズ群Ｌ２は、第８面から第１３面に対応し、物体側に凸面のメニスカス凹レンズ、両凹レンズ、両凸レンズで構成される。また、第９面は非球面形状で、主に変倍に伴う像面湾曲、周辺像高におけるコマ収差の変動を補正している。第３レンズ群Ｌ３は、第１５面から第２２面に対応し、物体側に凸面のメニスカス凸レンズ、物体側に凸面のメニスカス凹レンズと両凸レンズの接合レンズ、物体側に凸面のメニスカス凹レンズと両凸レンズの接合レンズで構成される。また、第１６面は非球面形状で、主に変倍に伴う球面収差の変動を補正している。第４レンズ群Ｌ４は、第２３面から第２５面に対応し、像側が凸面のメニスカス凸レンズと両凹の接合レンズで構成される。第２５面は非球面形状で、フォーカシングに伴う球面収差や像面湾曲の変動を補正している。また、第４レンズ群Ｌ４は、無限遠側から至近側への合焦時に像側へ移動する合焦群である。後続レンズ群ＬＲである第５レンズ群は、第２６面から第３０面に対応し、両凸レンズと像側が凸面のメニスカス凹レンズの接合レンズと両凸レンズで構成される。
【００５０】
本実施例の各条件式対応値を表１に示す。本実施例は（１）〜（８）式を満足しており、イメージサイズの大きい光学系ながら、小型化と高変倍比化を両立し、全ズーム範囲で高い光学性能を有するズームレンズを達成している。
【実施例４】
【００５１】
図７は本発明の実施例４（数値実施例４）であるズームレンズにおいて、広角端で無限遠に合焦しているときのレンズ断面図である。図８において、（ａ）は広角端、（ｂ）は望遠端の縦収差図を示している。いずれの収差図も、無限遠に合焦しているときの縦収差図である。図７において、物体側から順に、正の屈折力の第１レンズ群Ｌ１を有している。更に、広角端から望遠端への変倍に際して、像側へ移動する変倍用の負の屈折力の第２レンズ群Ｌ２を有している。更に、広角端から望遠端への変倍に際して、光軸上を非直線的に移動する変倍用の正の屈折力の第３レンズ群Ｌ３を有している。更に、第２レンズ群と第３レンズ群の移動に連動して光軸上を非直線的に移動し、変倍に伴う像面変動を補正する負の第４レンズ群Ｌ４を有している。更に第４レンズ群は無限遠側から至近側への合焦時に像側へ移動する。更に、変倍のためには移動しない結像作用をする正の屈折力の後続レンズ群ＬＲである第５レンズ群Ｌ５を有している。ＳＰは開口絞り、Ｉは像面である。
【００５２】
次に、本実施例における第１レンズ群Ｌ１について説明する。第１レンズ群Ｌ１は第１面から第７面に対応する。第１レンズ群Ｌ１は、物体側に凸面のメニスカス凹レンズと両凸レンズの接合レンズ、物体側に凸面のメニスカス凸レンズ、物体側に凸面のメニスカス凸レンズで構成される。第２レンズ群Ｌ２は、第８面から第１５面に対応し、物体側に凸面のメニスカス凹レンズ、両凹レンズ、両凸レンズ、像側に凸面のメニスカス凹レンズで構成される。また、第９面は非球面形状で、主に変倍に伴う像面湾曲、周辺像高におけるコマ収差の変動を補正している。第３レンズ群Ｌ３は、第１７面から第２３面に対応し、物体側に凸面のメニスカス凸レンズ、物体側に凸面のメニスカス凹レンズと両凸レンズの接合レンズ、物体側に凸面のメニスカス凸レンズで構成される。また、第１８面は非球面形状で、主に変倍に伴う球面収差の変動を補正している。第４レンズ群Ｌ４は、第２４面から第２６面に対応し、像側が凸面のメニスカス凸レンズと両凹の接合レンズで構成される。第２６面は非球面形状で、フォーカシングで発生する球面収差や像面湾曲の変動を補正している。また、第４レンズ群Ｌ４は、無限遠側から至近側への合焦時に像側へ移動する合焦群である。後続レンズ群ＬＲである第５レンズ群は、第２７面から第３１面に対応し、両凸レンズと像側が凸面のメニスカス凹レンズの接合レンズと両凸レンズで構成される。
【００５３】
本実施例の各条件式対応値を表１に示す。本実施例は（１）〜（８）式を満足しており、イメージサイズの大きい光学系ながら、小型化と高変倍比化を両立し、全ズーム範囲で高い光学性能を有するズームレンズを達成している。
【実施例５】
【００５４】
図９は本発明の実施例５（数値実施例５）であるズームレンズにおいて、広角端で無限遠に合焦しているときのレンズ断面図である。図１０において、（ａ）は広角端、（ｂ）は望遠端の縦収差図を示している。いずれの収差図も、無限遠に合焦しているときの縦収差図である。図９において、物体側から順に、正の屈折力の第１レンズ群 Ｌ１を有している。更に、広角端から望遠端への変倍に際して、像側へ移動する変倍用の負の屈折力の第２レンズ群Ｌ２を有している。更に、広角端から望遠端への変倍に際して、光軸上を非直線的に移動する変倍用の正の屈折力の第３レンズ群Ｌ３を有している。更に、第２レンズ群と第３レンズ群の移動に連動して光軸上を非直線的に移動し、変倍に伴う像面変動を補正する負の第４レンズ群Ｌ４を有している。更に第４レンズ群は無限遠側から至近側への合焦時に像側へ移動する。更に、後続レンズ群ＬＲとして、変倍時のために移動する正の第５レンズ群Ｌ５と、変倍のためには移動しない結像作用をする正の屈折力の第６レンズ群Ｌ６を有している。ＳＰは開口絞り、Ｉは像面である。
【００５５】
次に、本実施例における第１レンズ群Ｌ１について説明する。第１レンズ群Ｌ１は第１面から第５面に対応する。第１レンズ群Ｌ１は、物体側に凸面のメニスカス凹レンズと両凸レンズの接合レンズ、物体側に凸面のメニスカス凸レンズで構成される。第２レンズ群Ｌ２は、第６面から第１２面に対応し、物体側に凸面のメニスカス凹レンズ、両凹レンズと物体側に凸面のメニスカス凸レンズの接合レンズ、像側に凸面のメニスカス凹レンズで構成される。また、第７面は非球面形状で、主に変倍に伴う像面湾曲、周辺像高におけるコマ収差の変動を補正している。第３レンズ群Ｌ３は、第１４面から第２２面に対応し、両凸レンズ、物体側に凸面のメニスカス凹レンズ、両凸レンズ、両凸レンズと像側に凸面のメニスカス凹レンズの接合レンズで構成される。また、第１４面、第１８面は非球面形状で、主に変倍に伴う球面収差の変動を補正している。第４レンズ群Ｌ４は、第２３面から第２５面に対応し、像側が凸面のメニスカス凸レンズと両凹の接合レンズで構成される。第２３面は非球面形状で、フォーカシングで発生する球面収差や像面湾曲の変動を補正している。また、第４レンズ群Ｌ４は、無限遠側から至近側への合焦時に像側へ移動する合焦群である。後続レンズ群ＬＲの一部である第５レンズ群Ｌ５は、第２６面から第２７面に対応し、両凸レンズで構成される。第２７面は非球面であり、ズーミングで発生する像面湾曲の変動を補正している。後続レンズ群ＬＲの一部である第６レンズ群Ｌ６は、第２８面から第３０面に対応し、両凸レンズと像側に凸面のメニスカス凹レンズの接合レンズで構成される。
【００５６】
本実施例の各条件式対応値を表１に示す。本実施例は（１）〜（８）式を満足しており、イメージサイズの大きい光学系ながら、小型化と高変倍比化を両立し、全ズーム範囲で高い光学性能を有するズームレンズを達成している。
【００５７】
（数値実施例１）
単位 mm
面データ
面番号i      ri       di     ndi        vdi
1        595.263    4.82   1.91650    31.6           
2        125.244   15.31   1.49700    81.5           
3      -1226.333    0.44                             
4        180.174    7.09   1.59522    67.7           
5        618.854    0.44                             
6        121.469    9.16   1.76385    48.5           
7        723.265  (可変)                             
8       1485.495    2.92   1.85135    40.1           
9*        30.037   17.48                             
10        -54.315    2.04   1.76385    48.5           
11        187.867    0.44                             
12        100.672    9.90   1.85478    24.8           
13        -70.683    2.49                             
14        -53.640    2.04   1.59522    67.7           
15       -127.531  (可変)                             
16(絞り)    ∞     (可変)                             
17         45.212   10.85   1.85135    40.1           
18*       163.325    8.80                             
19        101.147    2.58   2.00100    29.1           
20         31.347   11.87   1.43875    94.9           
21        -76.578    2.90                             
22         58.186    4.79   1.59522    67.7           
23       -862.161    1.75   2.00100    29.1           
24       1165.004  (可変)                             
25       -163.399    4.44   1.95906    17.5           
26        -50.177    1.75   1.85135    40.1           
27*        54.010  (可変)                             
28        184.212   13.81   1.48749    70.2           
29        -52.149    2.19   2.00069    25.5           
30        -95.891    4.67                             
31        180.884    9.19   1.48749    70.2           
32        -95.118  (可変)                             
33          ∞       3.00   1.51633    64.1           
34          ∞     (可変)                             
像面        ∞   
非球面データ
第9面
K =-1.93383e-001  A 4=-5.59156e-007  A 6=-4.72447e-010  A 8= 3.31845e-013  
第18面
K =-1.91478e+001  A 4= 1.51259e-006  A 6=-1.49681e-010  A 8=-1.55675e-014  
第27面
K =-1.05264e+000  A 4= 4.89649e-007  A 6=-1.18490e-009  A 8= 2.71167e-012  
【００５８】
各種データ
ズーム比     14.89 
広角     中間     望遠
焦点距離      24.35   148.31   362.58  
Fナンバー      3.50     4.97     5.60  
画角          37.66     8.29     3.41  
像高          18.80    21.61    21.61  
レンズ全長   393.95   393.95   393.95  
BF            50.02    50.02    50.02  
d 7            2.81    70.60    99.66  
d15          102.36    34.57     5.51  
d16           52.42     5.99     5.70  
d24            5.73    26.93    26.72  
d27           26.47    51.71    52.20  
d32           37.15    37.15    37.15  
d34           10.88    10.88    10.88  
ズームレンズ群データ
群  始面    焦点距離  
1    1     158.65  
2    8     -31.69  
3   16       ∞    
4   17      55.36  
5   25     -50.71  
6   28      93.58  
7   33       ∞    
【００５９】
（数値実施例２）
単位 mm
面データ
面番号i      ri       di     ndi        vdi
1        231.052    4.82   1.91650    31.6           
2        107.148   11.40   1.49700    81.5           
3       3964.230    0.44                             
4        106.358    8.16   1.59522    67.7           
5        332.956    0.44                             
6        172.269    4.74   1.76385    48.5           
7        351.010  (可変)                             
8        743.763    2.92   1.85135    40.1           
9*        30.819   15.14                             
10        -68.206    2.04   1.76385    48.5           
11        174.625    0.44                             
12         86.955    9.28   1.85478    24.8           
13        -90.104    3.34                             
14        -57.558    2.04   1.59522    67.7           
15       -118.238  (可変)                             
16(絞り)    ∞     (可変)                             
17*        30.268    9.04   1.85135    40.1           
18*       257.283    1.41                             
19         68.898    2.58   2.00100    29.1           
20         20.436   10.01   1.43875    94.9           
21       -103.013    2.82                             
22        109.505    4.22   1.59522    67.7           
23        -82.918    1.75   2.00100    29.1           
24       -117.731  (可変)                             
25       -308.251    4.79   1.95906    17.5           
26        -36.208    1.75   1.85135    40.1           
27         29.840  (可変)                             
28        -85.853   10.47   1.48749    70.2           
29        -30.172    2.19   2.00069    25.5           
30        -52.685    0.32                             
31        561.918    9.64   1.48749    70.2           
32        -45.048  (可変)                             
像面        ∞   
非球面データ
第9面
K =-8.58884e-001  A 4= 2.44009e-006  A 6= 1.36470e-009  A 8= 1.12686e-012  
第17面
K =-1.01514e-001  A 4=-6.32569e-007  A 6= 5.54329e-010  A 8=-1.93658e-013  A10= 9.12265e-016  A12= 7.72177e-019  
第18面
K =-9.40298e+001  A 4= 3.26479e-006  A 6= 2.18080e-010  A 8=-3.31254e-012  A10= 9.74931e-015  A12=-9.91021e-018  
【００６０】
各種データ
ズーム比     10.00 
広角     中間     望遠
焦点距離      35.04   152.85   350.37  
Fナンバー      3.50     4.97     5.60  
画角          30.36     8.05     3.53  
像高          20.53    21.61    21.61  
レンズ全長   321.17   321.17   321.17  
BF            40.10    40.10    40.10  
d 7            3.40    67.03    94.30  
d15           90.17    26.54    -0.73  
d16           32.03    11.41     5.78  
d24            5.26    12.62    13.00  
d27           24.02    37.28    42.53  
d32           40.10    40.10    40.10  
ズームレンズ群データ
群  始面    焦点距離  
1    1     166.71  
2    8     -36.72  
3   16       ∞    
4   17      41.80  
5   25     -34.64  
6   28     105.34  
【００６１】
（数値実施例３）
単位 mm
面データ
面番号i      ri       di     ndi        vdi
1       1329.166    4.82   1.91650    31.6           
2        172.812   16.30   1.49700    81.5           
3      -1244.760    0.44                             
4        225.197    9.86   1.59522    67.7           
5       1646.977    0.44                             
6        148.892   11.14   1.76385    48.5           
7        607.316  (可変)                             
8        490.884    2.92   1.85135    40.1           
9*        32.951   20.49                             
10        -49.475    2.04   1.49700    81.5           
11        235.305    0.44                             
12        110.810    6.72   1.92286    18.9           
13      -1012.565  (可変)                             
14(絞り)    ∞     (可変)                             
15         56.280    7.81   1.85135    40.1           
16*      1120.278    8.73                             
17        109.248    2.19   2.00100    29.1           
18         46.347    6.96   1.43875    94.9           
19       -115.679    3.31                             
20         51.948    2.19   2.00100    29.1           
21         29.396    7.59   1.61800    63.3           
22       -116.456  (可変)                             
23       -179.212    3.92   1.95906    17.5           
24        -46.821    1.75   1.85135    40.1           
25*        29.170  (可変)                             
26         76.784   16.76   1.59522    67.7           
27        -64.198    2.34   1.85478    24.8           
28       -318.277    7.42                             
29        169.309   12.20   1.76802    49.2           
30       -119.996  (可変)                             
像面        ∞   
非球面データ
第9面
K =-6.12019e-002  A 4=-8.16875e-007  A 6=-2.92061e-010  A 8=-2.34699e-013  
第16面
K =-8.84476e+002  A 4= 1.65051e-006  A 6=-1.93458e-010  
第25面
K =-1.11873e+000  A 4= 2.86232e-006  A 6=-3.33756e-009  A 8= 1.54669e-011  
【００６２】
各種データ
ズーム比     11.68 
広角     中間     望遠
焦点距離      25.20   125.05   294.41  
Fナンバー      3.50     4.97     5.60  
画角          36.72     9.80     4.20  
像高          18.80    21.61    21.61  
レンズ全長   374.08   374.08   374.08  
BF            21.75    21.75    21.75  
d 7            2.31    84.23   119.34  
d13          119.77    37.85     2.74  
d14           33.03     5.78     5.71  
d22            7.71    18.47    24.15  
d25           30.73    47.22    41.61  
d30           21.75    21.75    21.75  
ズームレンズ群データ
群  始面    焦点距離  
1    1     201.88  
2    8     -36.06  
3   14       ∞    
4   15      44.20  
5   23     -30.67  
6   26      64.54  
【００６３】
（数値実施例４）
単位 mm
面データ
面番号i      ri       di     ndi        vdi
1        412.009    4.82   1.91650    31.6           
2        117.727   10.99   1.49700    81.5           
3       -688.668    0.44                             
4        112.204    8.60   1.59522    67.7           
5        667.485    0.44                             
6        135.895    5.58   1.76385    48.5           
7        326.364  (可変)                             
8        540.520    2.92   1.85135    40.1           
9*        30.357   13.62                             
10        -64.627    2.04   1.76385    48.5           
11        190.720    0.44                             
12         78.105    8.62   1.85478    24.8           
13        -76.743    2.91                             
14        -51.550    2.04   1.59522    67.7           
15       -553.795  (可変)                             
16(絞り)    ∞     (可変)                             
17         44.922   10.67   1.85135    40.1           
18*       204.432    9.08                             
19        123.857    2.58   2.00100    29.1           
20         30.821   15.23   1.43875    94.9           
21        -70.497    2.90                             
22         50.686    7.32   1.59522    67.7           
23        201.811  (可変)                             
24       -215.353    9.78   1.95906    17.5           
25        -52.601    1.75   1.85135    40.1           
26*        53.467  (可変)                             
27        106.991   10.96   1.48749    70.2           
28        -55.118    2.19   2.00069    25.5           
29       -104.815    0.41                             
30       1397.473    6.22   1.48749    70.2           
31       -107.531  (可変)                             
32          ∞       3.00   1.51633    64.1           
33          ∞     (可変)                             
像面        ∞   
非球面データ
第9面
K =-4.14166e-001  A 4= 9.18857e-007  A 6= 7.99269e-010  A 8= 1.36470e-012  
第18面
K =-4.80752e+001  A 4= 1.62739e-006  A 6=-4.13204e-010  A 8= 1.80517e-013  
第26面
K =-1.04447e+000  A 4= 6.18937e-007  A 6=-1.35490e-009  A 8= 3.04616e-012  
【００６４】
各種データ
ズーム比     11.00 
広角     中間     望遠
焦点距離      35.13   160.38   386.45  
Fナンバー      4.50     5.27     5.60  
画角          30.30     7.67     3.20  
像高          20.53    21.61    21.61  
レンズ全長   362.82   362.82   362.82  
BF            54.68    54.68    54.68  
d 7            3.25    58.61    82.34  
d15           84.62    29.26     5.54  
d16           37.93    13.09     5.99  
d23            5.74    24.34    19.94  
d26           34.05    40.28    51.78  
d31           25.75    25.75    25.75  
d33           26.95    26.95    26.95  
ズームレンズ群データ
群  始面    焦点距離  
1    1     140.15  
2    8     -31.44  
3   16       ∞    
4   17      56.66  
5   24     -53.55  
6   27     105.64  
7   32       ∞    
【００６５】
（数値実施例５）
単位 mm
面データ
面番号i      ri       di     ndi        vdi
1        305.835    4.38   1.91650    31.6           
2        136.484   21.60   1.59522    67.7           
3      -5171.068    0.46                             
4        134.374   15.89   1.59522    67.7           
5       1128.496  (可変)                             
6        145.464    2.92   1.85135    40.1           
7*        46.127   14.44                             
8        -88.153    2.19   1.59522    67.7           
9         58.535    7.87   1.95906    17.5           
10        173.425    7.76                             
11        -54.885    2.04   1.69680    55.5           
12       -111.212  (可変)                             
13(絞り)    ∞     (可変)                             
14*        54.374   13.70   1.59349    67.0           
15       -272.852   14.78                             
16        271.591    2.92   1.73800    32.3           
17         48.383    3.21                             
18*        48.139   11.10   1.59349    67.0           
19       -221.253    2.10                             
20         98.862   10.46   1.49700    81.5           
21        -49.268    2.75   1.65412    39.7           
22       -106.474  (可変)                             
23*      -818.992    6.42   1.95906    17.5           
24        -87.882    2.04   1.88300    40.8           
25         37.127  (可変)                             
26        131.936    8.84   1.59522    67.7           
27*      -257.265  (可変)                             
28        111.434   10.75   1.59522    67.7           
29       -103.993    2.17   1.85478    24.8           
30       -177.790  (可変)                             
像面        ∞   
非球面データ
第7面
K =-5.13265e-001  A 4= 8.70559e-007  A 6= 2.82689e-010  A 8= 5.01107e-013  
第14面
K =-6.85397e-001  A 4=-2.98975e-009  A 6=-1.62801e-010  A 8= 3.65985e-014  
第18面
K = 7.55655e-001  A 4=-2.59343e-006  A 6=-3.34100e-010  A 8=-5.60596e-013  
第23面
K = 1.34806e+002  A 4= 4.96620e-007  A 6=-3.04205e-010  A 8= 3.60323e-013  
第27面
K = 6.80445e+000  A 4=-3.77298e-007  A 6=-2.69160e-010  A 8= 8.55024e-014  
【００６６】
各種データ
ズーム比     11.98 
広角     中間     望遠
焦点距離      29.22   203.97   350.06  
Fナンバー      2.80     4.36     4.50  
画角          32.15     6.05     3.53  
像高          18.36    21.61    21.61  
レンズ全長   406.68   406.68   406.68  
BF            22.42    22.42    22.42  
d 5            2.64    98.22   115.75  
d12          117.77    22.20     4.67  
d13           40.76    11.52     5.51  
d22            4.10    27.29    35.34  
d25           39.35    52.78    45.61  
d27            8.85     1.46     6.59  
d30           22.42    22.42    22.42  
ズームレンズ群データ
群  始面    焦点距離  
1    1     215.60  
2    6     -35.04  
3   13       ∞    
4   14      55.03  
5   23     -41.35  
6   26     147.77  
7   28     132.39  
【００６７】
表１：各実施例の各条件式対応値
【表１】
2018180203.tif 000004
【符号の説明】
【００６８】
Ｌ１：  第１レンズ群
Ｌ２：  第２レンズ群
Ｌ３：  第３レンズ群
Ｌ４：  第４レンズ群
Ｌ５：  第５レンズ群
【図１】
2018180203.tif 000005
【図２】
2018180203.tif 000006
【図３】
2018180203.tif 000007
【図４】
2018180203.tif 000008
【図５】
2018180203.tif 000009
【図６】
2018180203.tif 000010
【図７】
2018180203.tif 000011
【図８】
2018180203.tif 000012
【図９】
2018180203.tif 000013
【図１０】
2018180203.tif 000014
【図１１】
2018180203.tif 000015
【図１２】
2018180203.tif 000016